(57)【要約】  複数のＰＥＴ検出器を並べた検出器リングの切り口の平面が、検査対象を載せるベッドの長軸に直交しないように傾斜しており、検査対象へのアクセスを可能とするための、ベッドをその長軸と垂直な方向に貫く開放空間が形成された傾斜ＰＥＴ装置において、各ＰＥＴ検出器をベッドの長軸と平行な方向に積層配置する。これにより、ベッドをその長軸と垂直な方向に貫く開放空間を確保しつつ、検出器リング、ひいては装置を小型化すると共に、ＰＥＴ検出器数を減らして、装置コストを削減する。
2012164664.tif 000002
【特許請求の範囲】
【請求項１】
複数のＰＥＴ検出器を並べた検出器リングの切り口の平面が、検査対象を載せるベッドの長軸に直交しないように傾斜しており、検査対象へのアクセスを可能とするための、ベッドをその長軸と垂直な方向に貫く開放空間が形成された傾斜ＰＥＴ装置において、
各ＰＥＴ検出器をベッドの長軸と平行な方向に積層配置したことを特徴とする傾斜ＰＥＴ装置。
【請求項２】
前記開放空間が、検査対象へのアクセス方向に合わせて配置されていることを特徴とする請求項１に記載の傾斜ＰＥＴ装置。
【請求項３】
前記検出器リングが、検査対象へのアクセス方向に合わせて回転可能とされていることを特徴とする請求項１又は２に記載の傾斜ＰＥＴ装置。
【請求項４】
前記検出器リングが、検査対象へのアクセス位置に合わせて移動可能とされていることを特徴とする、請求項１又は３に記載の傾斜ＰＥＴ装置。
【請求項５】
前記ベッドの水平回転に合わせて、前記検出器リングが回転するようにされていることを特徴とする請求項１に記載の傾斜ＰＥＴ装置。
【請求項６】
前記検出器リングが、ロボットアームに支持されていることを特徴とする請求項１に記載の傾斜ＰＥＴ装置。
【請求項７】
前記ＰＥＴ検出器を楕円状又は多角形状に並べた単位リングをベッドの長軸と平行な方向に積層することにより前記検出器リングが構成されていることを特徴とする請求項１に記載の傾斜ＰＥＴ装置。
【請求項８】
前記単位リングが、階段状に並べられていることを特徴とする請求項７に記載の傾斜ＰＥＴ装置。
【請求項９】
前記検出器リングの切り口の平面が、ベッドの長軸と垂直な位置まで回転可能とされていることを特徴とする請求項７に記載の傾斜ＰＥＴ装置。
【請求項１０】
前記各単位リングが、互いに一致する位置まで平行移動可能とされていることを特徴とする請求項７に記載の傾斜ＰＥＴ装置。
【請求項１１】
前記単位リングの回転と同期して、各単位リングが平行移動するようにされていることを特徴とする請求項９に記載の傾斜ＰＥＴ装置。
【請求項１２】
前記ＰＥＴ検出器を複数個ベッドの長軸方向に並べた検出器ユニットを、ベッドの長軸方向に少しずつずらすことにより、各ＰＥＴ検出器がベッドの長軸と平行な方向に積層配置されていることを特徴とする請求項１に記載の傾斜ＰＥＴ装置。
【請求項１３】
前記検出器ユニットのベッド長軸方向のずれ量が、検出器リングを平面上に展開した図面上において、正弦波であることを特徴とする請求項１２に記載の傾斜ＰＥＴ装置。
【請求項１４】
前記検出器ユニットのずれ量が可変とされていることを特徴とする請求項１２に記載の傾斜ＰＥＴ装置。
【請求項１５】
各ＰＥＴ検出器の主軸が、検出器リングの中央点に向かうように、検出器ユニットのずれ量に応じて傾斜されていることを特徴とする請求項１２に記載の傾斜ＰＥＴ装置。
【請求項１６】
請求項１乃至１５のいずれかに記載の傾斜ＰＥＴ装置と、
該傾斜ＰＥＴ装置の開放空間で治療や検査を行う第２の装置と、
を備えた事を特徴とするＰＥＴ複合装置。
【請求項１７】
前記第２の装置が、放射線治療装置であることを特徴とする請求項１６に記載のＰＥＴ複合装置。
【請求項１８】
前記第２の装置が、粒子線治療装置であることを特徴とする請求項１６に記載のＰＥＴ複合装置。
【請求項１９】
前記第２の装置が、Ｘ線透過装置であることを特徴とする請求項１６に記載のＰＥＴ複合装置。
【請求項２０】
前記傾斜ＰＥＴ装置と、前記第２の装置が、互いに干渉することなく、一体となって移動や回転することを特徴とする請求項１６乃至１９のいずれかに記載のＰＥＴ複合装置。
【請求項２１】
前記傾斜ＰＥＴ装置の検出器リングに、前記第２の装置の少なくとも一部が支持されていることを特徴とする請求項１６乃至２０のいずれかに記載のＰＥＴ複合装置。
【発明の詳細な説明】
【技術分野】
【０００１】
本発明は、傾斜ＰＥＴ装置及びＰＥＴ複合装置に係り、特に、放射線がん治療装置と組合せるのに好適な傾斜ＰＥＴ装置及びＰＥＴ複合装置に関する。
【背景技術】
【０００２】
癌の早期診断に有効と注目されている陽電子放射断層撮像法（ＰＥＴ）は、極微量の陽電子放出核種で標識した化合物を投与し、体内から放出される消滅放射線を検出することで、糖代謝等、代謝機能を画像化し、病気の有無や程度を調べる検査法であり、これを実施するためのＰＥＴ装置が実用化されている。【０００３】
ＰＥＴの原理は次のとおりである。陽電子崩壊によって陽電子放出核種から放出された陽電子が周囲の電子と対消滅し、それによって生じる一対の５１１ｋｅＶの消滅放射線を、対の放射線検出器で同時計数の原理によって測定する。これにより、核種の存在位置を、対の検出器同士を結ぶ１本の線分（同時計数線）上に特定することができる。検査対象である患者の頭から足の方向に向かう軸を体軸と定義すると、体軸と垂直に交わる平面上の核種の分布は、その平面上において様々な方向から測定された同時計数線のデータから、２次元画像再構成によって求められる。【０００４】
ＰＥＴ装置の感度を高めるためには、図１に例示する如く、多数のＰＥＴ検出器１０を周方向及び軸方向に並べた円筒状の検出器リング１２をトンネル状に配置して、測定立体角を大きくし、トンネル内の核種の分布を３次元画像再構成によって求める必要がある。しかし、長いトンネル状の患者ポートは、ベッド６上で検査中の患者８の心理的ストレスを高めると共に、外部から患者８へアクセスする（たとえば本発明の主な目的であるがん治療のために放射線ビームを患者の患部に照射する）際の障害にもなる。ここで、検出器リング１２は真円形が主流であり、ＰＥＴ検出器１０は検出器リング１２の切り口に垂直な方向に積層されている。【０００５】
これに対して、出願人は、図２に例示する如く、体軸方向に複数（図２では２つ）に分割した検出器リング１２Ａ、１２Ｂを離して配置し、物理的に開放された視野領域（開放視野とも称する）を有する開放型ＰＥＴ装置（ＯｐｅｎＰＥＴとも称する）を提案している（特許文献１）。【０００６】
この開放型ＰＥＴ装置は、従来のＰＥＴ装置では不可能であった治療中のＰＥＴ診断や全身同時撮影を可能にするほか、リアルタイムＰＥＴ／ＣＴへの応用も可能である。具体的には、検出器リング１２Ａ、１２Ｂの隙間１２Ｃから開放視野に対して治療を施すことが可能になるため、放射線がん治療を例にとると、開放型ＰＥＴ装置でがんの位置を確認しながら放射線の治療ビームを照射したり、開放型ＰＥＴ装置でリアルタイムに放射線治療ビームの照射野を可視化することが可能になる。しかしながら、検出器リングが複数に分かれるだけでなく、検出器リングが照射野の前後を覆う必要があるため、検出器数が多く構成が複雑になるだけでなく、アクセスの方向も制限されてしまうという問題がある。【０００７】
一方、放射線でがん治療を行う装置の一例として、重粒子線や陽子線などの粒子線がん治療装置の一例を図３に示す。この装置は、例えば水平照射ポート２０Ｘと垂直照射ポート２０Ｙの二門を備えている。なお、水平照射ポートだけ、又は垂直照射ポートだけの一門照射の装置もある。更に、照射ポートが固定されておらず、患者８の周りを回るようにした回転ガントリが設けられることもあり、特に陽子線がん治療装置では、回転ガントリ方式が主流である。ここで、図中に示したように、水平照射の治療ビーム２２Ｘに沿った軸をＸ軸、垂直照射の治療ビーム２２Ｙに沿った軸をＹ軸、Ｙ軸とＸ軸に直交する軸をＺ軸とする。通常、Ｚ軸は、患者８の体軸の方向の軸と一致することが多い。【０００８】
このような粒子線治療照射装置において、患者８の体内の照射野２４の確認のために、照射中のＰＥＴ測定が求められている。【０００９】
重粒子線照射装置とＰＥＴを組合せる方法として、非特許文献１には、図４に示す如く、検出器リング１２を斜めに設置して、幅Ｃの開放領域を確保することが記載されている。ここで検出器リング１２は、図４の左上に示すように真円であり、ＰＥＴ検出器１０は検出器リング１２の切り口に垂直な方向に積層されている。従って、Ｚ軸に垂直な方向（図の左方向）から見た検出器リングの内部空間形状は、楕円形となる。
【先行技術文献】
【特許文献】
【００１０】
【特許文献１】ＷＯ２００８／１２９６６６号公報
【特許文献２】特開２０１１−６９６３６号公報
【非特許文献】
【００１１】
【非特許文献１】P.Crespo  et  al  “On the detector arrangement for in-beam PET for hadron therapy monitoring”Phys. Med. Biol. 51(2006)2143-2163
【発明の概要】
【発明が解決しようとする課題】
【００１２】
しかしながら、非特許文献１で十分な開放領域幅Ｃを確保するためには、検出器リング１２の直径を大きくする必要がある。その結果、装置が大型化し、使用するＰＥＴ検出器数が増えるため、装置コストも大きくなる。又、検出器リング１２の直径が大きくなるほど、角度揺動により、空間分解能が低下してしまう。【００１３】
又、粒子線治療と組合せる場合、治療ビームの広がりを抑制するためには、照射ポートを患者にできる限り近づけることが望まれるが、図４に示したように、検出器リング１２が邪魔をして、照射ポート（図４では水平照射ポート２０Ｘ）を患者８に近づけることができない。なお、図４は水平照射の例であるが、非特許文献１の方法では、任意の照射方向にあわせて検出器リング１２の向きを変えることができないため、水平照射と垂直照射の二門照射や、回転ガントリには使えないという問題点も有していた。【００１４】
特許文献１や非特許文献１では、ＰＥＴ検出器が検出器リングの切り口に垂直な方向に積層されていたが、特許文献２には、本発明と同様に、ＰＥＴ検出器をベッドの長軸と平行な方向に積層配置することが記載されている。しかしながら、これは検出器が患者の視線をさえぎらないようにするためのものであり、非特許文献1のように、患者へのアクセスを可能とするために、ベッドをその長軸と垂直な方向に貫く開放空間を形成することは考えられていない。【００１５】
本発明は、前記従来の問題点を解決するべくなされたもので、検査対象へのアクセスを可能とするための、ベッドをその長軸と垂直な方向に貫く開放空間を確保しつつ、検出器リング、ひいては装置を小型化すると共に、ＰＥＴ検出器数を減らして、装置コストを削減することを課題とする。
【課題を解決するための手段】
【００１６】
以下、本発明の原理を説明する。【００１７】
本発明のＰＥＴ装置の検出器配置は、円筒を、円筒の切り口に対して傾斜する２つの平面で切り取った形状とする。従来例として、図５（ａ）に示す如く、ＰＥＴ検出器１０が検出器リング１２の切り口に垂直な方向に積層された場合について、幅Ｂのベッド６に対して、幅Ｃの開放領域幅を確保するための、検出器リング１２の内径Ｄ及び幅Ｗを計算する。一方、本発明においては、図５（ｂ）に示す如く、検出器リング３０の中心軸に垂直な方向に見た内径をＤ、幅Ｗとし、検出器リング３０の大きさは、ベッド６が入るぎりぎりのサイズとして、Ｄ＝Ｂとする。そして、幅Ｃの開放領域幅を確保するための、Ｄ及びＷを計算する。【００１８】
計算結果を図６に示す。ベッド幅Ｂ＝６０ｃｍ、開放領域幅Ｃ＝２０ｃｍとして、使用するＰＥＴ検出器の数と装置中央点の立体角（相対感度）で計算し、本発明と従来例で比較した。ここで、一つのＰＥＴ検出器の大きさは、面積５ｃｍ×５ｃｍとした。その結果、本発明の方が、従来より少ない検出器数で高い感度を達成できることが明らかになった。図６において、検出器数２００の場合の従来例の装置パラメータを図７（ａ）に、本発明例の装置パラメータを図７（ｂ）に示す。ここで、検出器リング３０の切り口の楕円の長半径ａの計算には、図８に示す様な幾何学的関係を用いた。【００１９】
このように、本発明の方が、より少ない検出器数で高い感度を達成できるので、検出器数を減らしてコストダウンを図ることができる。【００２０】
本発明は、このような知見に基づいてなされたもので、複数のＰＥＴ検出器を並べた検出器リングの切り口の平面が、検査対象を載せるベッドの長軸に直交しないように傾斜しており、検査対象へのアクセスを可能とするための、ベッドをその長軸と垂直な方向に貫く開放空間が形成された傾斜ＰＥＴ装置において、各ＰＥＴ検出器をベッドの長軸と平行な方向に積層配置したことを特徴とする傾斜ＰＥＴ装置により前記課題を解決したものである。【００２１】
ここで、前記開放空間を、検査対象へのアクセス方向に合わせて配置することができる。【００２２】
又、前記検出器リングを、検査対象へのアクセス方向に合わせて回転可能とすることができる。【００２３】
又、前記検出器リングを、検査対象へのアクセス位置に合わせて移動可能とすることができる。【００２４】
又、前記ベッドの水平回転に合わせて、前記検出器リングを回転することができる。【００２５】
又、前記検出器リングを、ロボットアームで支持することができる。【００２６】
又、前記ＰＥＴ検出器を楕円状又は多角形状に並べた単位リングをベッドの長軸と平行な方向に積層することにより前記検出器リングを構成することができる。【００２７】
又、前記単位リングを、階段状に並べることができる。【００２８】
又、前記検出器リングの切り口の平面を、ベッドの長軸と垂直な位置まで回転可能とすることができる。【００２９】
又、前記各単位リングを、互いに一致する位置まで平行移動可能とすることができる。【００３０】
又、前記単位リングの回転と同期して、各単位リングを平行移動可能とすることができる。【００３１】
又、前記ＰＥＴ検出器を複数個ベッドの長軸方向に並べた検出器ユニットを、ベッドの長軸方向に少しずつずらすことにより、各ＰＥＴ検出器をベッドの長軸と平行な方向に積層配置することができる。【００３２】
又、前記検出器ユニットのベッド長軸方向のずれ量を、検出器リングを平面上に展開した図面上において、正弦波とすることができる。【００３３】
又、前記検出器ユニットのずれ量を可変とすることができる。【００３４】
又、各ＰＥＴ検出器の主軸を、検出器リングの中央点に向かうように、検出器ユニットのずれ量に応じて傾斜させることができる。【００３５】
本発明は、又、前記の傾斜ＰＥＴ装置と、該傾斜ＰＥＴ装置の開放空間で治療や検査を行う第２の装置と、を備えたＰＥＴ複合装置を提供するものである。【００３６】
ここで、前記第２の装置を、放射線治療装置、粒子線治療装置、又は、Ｘ線透過装置とすることができる。【００３７】
又、前記傾斜ＰＥＴ装置と前記第２の装置を、互いに干渉することなく、一体となって移動や回転させることができる。【００３８】
又、前記傾斜ＰＥＴ装置の検出器リングに、前記第２の装置の少なくとも一部を支持することができる。
【発明の効果】
【００３９】
本発明によれば、検出器リングを小型にできるため、装置を小型化でき、ＰＥＴ検出器数も減らせるため、装置コストを削減できる。
【図面の簡単な説明】
【００４０】
【図１】従来のＰＥＴ装置の一例を示す図
【図２】同じく開放型ＰＥＴ装置の一例を示す図
【図３】従来の粒子線照射装置の一例を模式的に示す図
【図４】非特許文献１で提案された重粒子線照射装置とＰＥＴを組み合わせた例を示す図
【図５】本発明の原理を説明するための図
【図６】同じくシミュレーション結果を示す図
【図７】同じく図６で検出器数２００における装置パラメータの例を示す図
【図８】同じく計算に用いた幾何学的関係を示す図
【図９】本発明の第１実施形態を示す図
【図１０】同じく第２実施形態を示す図
【図１１】同じく第３実施形態を示す図
【図１２】同じく第４実施形態を示す図
【図１３】同じく第５実施形態を示す図
【図１４】同じく第６実施形態を示す図
【図１５】同じく第７実施形態を示す図
【図１６】ＰＥＴ検出器を並べる方法の一例を示す図
【図１７】図１６の変形例を示す図
【図１８】図１７の変形例を実現するための具体的な機構の一例を示す分解斜視図
【図１９】同じく側面図
【図２０】同じく上面図
【図２１】ＰＥＴ検出器を並べる方法の他の例を示す図
【図２２】図２１の変形例を示す図
【図２３】図２１の変形例を実現するための具体的な機構の例を示す図
【図２４】図２１の他の変形例を示す図
【図２５】ＰＥＴ複合装置にかかる本発明の第８実施形態を示す図
【図２６】同じく本発明の第９実施形態を示す図
【図２７】第９実施形態を回転している状態を示す図
【発明を実施するための形態】
【００４１】
以下図面を参照して本発明の実施形態を詳細に説明する。
【００４２】
本発明の第１実施形態は、図９に示す如く、複数のＰＥＴ検出器１０を周方向に並べた検出器リング３０を、検査対象である患者８のベッド６の長軸（図ではＺ軸）に対して傾けて配設することにより、患者８へのアクセスを可能とするための、ベッド６を、その長軸と垂直な方向（図では上下方向）に貫く幅Ｃの開放空間が形成された傾斜ＰＥＴ装置において、各ＰＥＴ検出器１０をベッド６の長軸と平行な水平方向に積層配置したものである。前記開放空間の幅Ｃは、例えば治療ビームの幅以上とされている。
【００４３】
ここで、検出器リング３０を構成するＰＥＴ検出器１０は、その切り口に対して、垂直でない方向に積層されている。ＰＥＴ検出器１０を積層する方向は、Ｚ軸若しくはベッド６の長軸に近くなるようにする。
【００４４】
別の言い方をすると、検出器リング３０は、従来例と同様の真円筒状の検出器リング１２を、軸に垂直でない２つの平行する面で斜めに切り取ったような形状となっており、図の左側に示したようにＺ軸方向から見た検出器リング３０の断面は真円、検出器リング３０の切り口に垂直な方向から見ると、図の左上に示したように楕円形となっている。
【００４５】
本実施形態において、ＰＥＴ検出器１０で検出された消滅放射線のシングルイベントデータは、同時計数回路３１Ａにて同時計数線を特定するコインシデンスデータに変換され、データ収集システム３１Ｂに順次保存される。そして、一定時間の計測データを蓄積した後、画像再構成システム３１Ｃにて画像再構成演算を行い、表示・保存システム３１Ｄに照射野の画像を表示したり保存したりする。
【００４６】
図１０は、水平照射ポート２０Ｘを持つ水平照射の粒子線治療装置と第１実施形態を組合せた本発明の第２実施形態を示す。従来のＰＥＴ装置と組合せた図４と比較して、水平照射ポート２０Ｘを患者８の照射野２４に近付けて、治療ビーム２２Ｘの広がりを抑制することができる。
【００４７】
使用に際しては、例えば非特許文献１と同様に、水平照射ポート２０Ｘから照射野２４に向けて治療ビーム２２Ｘを照射しつつ、照射中又はその前後に、検出リング３０で得られる信号を用いて、第１実施形態と同様の手法で照射野２４のＰＥＴ画像を得ることができる。
【００４８】
図１１は、垂直照射ポート２０Ｙを持つ垂直照射の粒子線治療装置と第１実施形態を組合せた本発明の第３実施形態を示す。本実施形態によれば、垂直照射ポート２０Ｙを患者８の照射野２４に近づけて、治療ビーム２２Ｙの広がりを抑制することができる。
【００４９】
使用に際しては、例えば非特許文献１と同様に、垂直照射ポート２０Ｙから照射野２４に向けて治療ビーム２２Ｙを照射しつつ、照射中又はその前後に、検出リング３０で得られる信号を用いて、第１実施形態と同様の手法で照射野２４のＰＥＴ画像を得ることができる。
【００５０】
なお、検出器リング３０をＺ軸若しくはＺ軸近傍の軸を中心に回転可能とすることによって、一台の装置で、図１０の水平照射と図１１の垂直照射、及び、更に異なる任意の角度での照射を可能とすることもできる。
【００５１】
図１２は、照射野２４の移動に合わせて検出器リング３０をＺ軸方向に平行移動可能とした本発明の第４実施形態を示す。
【００５２】
これまでは、図１２（ａ）に示すように、照射野２４が中央にある場合を例としていたが、本実施形態のように、検出器リング３０の位置を変えることによって、照射野２４の移動にも対応できる。図１２（ｂ）に示すように、照射野２４がＸ軸プラス方向（図の下方向）に移動した場合は、検出器リング３０をＺ軸プラス方向（図の右方向）にシフトすればよい。又、図１２（ｃ）に示すように、照射野２４をＸ軸マイナス方向に移動する場合には、さらに検出器リング３０をＺ軸を中心に（あるいはＸＺ平面上で）１８０°回転させれば良い。なお、図１２は水平照射の例であるが、垂直照射の場合にも同様に対応できる。
【００５３】
又、図１３に示すように、特に頭部の照射において、ベッド長軸がＺ軸と異なるようにするノンコプラナー（Non-Coplanar）照射が行われることがある。この場合は、図１３に示す第５実施形態のように、ベッド６の回転に合わせて検出器リング３０を回転すると良い。なお、図１３は水平照射の例であるが、垂直照射の場合にも同様に対応できる。
【００５４】
又、図１４に示す第６実施形態の如く、検出器リング３０の大きさを、患者ベッド６より大きめにしておくと、検出器リング３０を少し回転させることによって、開放領域幅Ｃを拡大することができる。図１４のように、検出器リング３０のＺ軸と垂直な方向に見た内径Ｄを、患者ベッド幅Ｂより大きめにした場合、矢印で示すように検出器リング３０を時計方向に回転すれば、開放領域幅をＣからＣ’に拡大できる。
【００５５】
図１５は、例えば（ａ）水平照射と（ｂ）垂直照射の両方に対応できるように、検出器リング３０をロボットアーム４０で支持した本発明の第７実施形態を示す。図において、４２は、ロボットアームの支点である。本実施形態は、回転ガントリにも対応可能である。
【００５６】
次に、直方体状のＰＥＴ検出器１０を並べる方法について説明する。図１６はその一例である。
【００５７】
まず、図１６（ａ）に示すように、ＰＥＴ検出器１０を同一平面上に楕円状に並べて単位リング３２を形成する。次いで、このように形成した単位リング３２を、図１６（ｂ）に示すようにＺ軸に平行な方向へ階段状になるように並べて検出器リング３０とする。なお、単位リング３２は必ずしも楕円形である必要は無く、多角形でも良い。
【００５８】
なお、通常のＰＥＴ診断として使うなど、開放領域を形成することが必ずしも必要でない場合、図１７（ａ）のように検出器リング３０が傾斜したままでは、放射線が体内を横切る距離が長くなるため、体による放射線の吸収を強く受けてしまい、検出できる放射線の量が減ってしまう。そこで、患者の体による放射線の吸収の程度を削減するために、図１７（ｂ）に示す如く、ＸＺ平面に沿って検出器リング３０全体を回転することができる。なお、ベッド６に乗った患者８など、長手の撮影物体を計測する場合には視野が制限されてしまう。そこで、図１７（ｃ）に示すように、単位リング３２を揃えて視野を拡大することができる。
【００５９】
図１７の（ｂ）から（ｃ）への変形を行うための具体的な機構の一例を図１８（分解斜視図）、図１９（側面図）、図２０（上面図）に示す。
【００６０】
この機構は、例えば５つの単位リング３２Ａ〜３２Ｅのそれぞれの上下に、例えば２つずつ突設されたピン３２Ｐと、該ピン３２Ｐが挿通する長穴３２Ｈが形成されたフランジ３２Ｆと、単位リング３２Ａ〜３２Ｅをそれぞれ一定の幅でスライドさせるための、例えば各単位リング３２Ａ〜３２Ｅの上部に配設されたギヤ３４Ａ〜３４Ｅとを有してなる。
【００６１】
この例によれば、中央のギヤ３４Ｃの回転で、全ての単位リング３２Ａ〜３２Ｅを連動して階段状から筒状に移動することができる。なお、移動は手動でもよいが、電動化することもできる。
【００６２】
次に、直方体形状のＰＥＴ検出器を並べる方法の他の例を示す。ＰＥＴ検出器を一列に並べたものをバケットと呼ぶが、図２１（ａ）に示す如く、バケット３６を、Ｚ軸方向に少しずつずらすことによって、本発明の検出器リング３０を構築できる。
【００６３】
図２１（ａ）に示すように、検出器リングの切り口を平面にするためには、バケット３６のＺ軸方向のずらし量は、図２１（ｂ）に示す検出器リング３０の展開図のように、正弦波関数に沿うようにするとよい。なお、数ｃｍ厚のシンチレータで構成される一般的なＰＥＴ検出器を用いた場合、斜めに入射する放射線に対して位置弁別性能が低下してしまうことがある。しかし、シンチレータの厚み方向にも放射線位置弁別可能なＤＯＩ（Ｄｅｐｔｈ−ｏｆ−ｉｎｔｅｒａｃｔｉｏｎ）(特開平６−３３７２８９号公報、特開平１１−１４２５２３号公報、特開２００４−１３２９３０号公報、特開２００４−２７９０５７号公報、特開２００７−９３３７６号公報、特開２００５−４３０６２号公報等参照)を用いれば、斜め入射する放射線に対しても、位置弁別性能を維持することができる。
【００６４】
各バケット３６のＺ軸方向のずれ量を可変として、開放領域を必要としない通常のＰＥＴ診断に際しては、図２２に示す変形例のように、円筒状の検出器リングを有する、開放空間が無い通常のＰＥＴ装置としてしまうことも可能である。
【００６５】
バケット３６を移動可能とするための具体的な機構の例を図２３に示す。図２３（ａ）に示すように、バケット３６を構成する検出器ケース３６ＣにＰＥＴ検出器１０を収納し、蓋３６Ｌを被せると共に、検出器ケース３６Ｃのフランジ３６Ｆに形成した長穴３６Ｈに、隣接する検出器ケース３６Ｃのボルト３６Ｂを通してナット３６Ｎで固定することにより、図２３（ｂ）に示す如く、バケット３６を長手方向に移動可能とすることができる。
【００６６】
更に、図２４に示す変形例のように、ＰＥＴ検出器１０の主軸が検出器リング３０の中央点に向かうように、バケット３６の位置に応じてＰＥＴ検出器１０の主軸を傾斜させることができる。これによって、ＰＥＴ検出器に入射する放射線の角度を垂直に近くすることができ、ＤＯＩ検出器でない通常のＰＥＴ検出器を使用しても、位置弁別性能を維持することができる。
【００６７】
又、このようにＰＥＴ検出器１０の主軸を傾斜させることによって、Ｚ軸方向の検出幅が広がる。元々楕円形状の検出器リングでは、楕円の短軸方向に比べ楕円の長軸方向では立体角の減少により感度低下が生じる問題があるが、ＰＥＴ検出器１０の主軸をこのように傾斜させることによって、丁度長軸方向に近いほど検出幅が広がり、立体角の減少を抑制できるため、好適である。
【００６８】
次に、本発明によるＰＥＴ装置をＸ線透過装置と組合せたＰＥＴ複合装置に係る本発明の第８実施形態を図２５に示す。本実施形態においては、検出器リング３０と独立したＸ線源６０とＸ線検出器６２が、アーム６４により、照射するＸ線が開放空間を通るようにして設けられている。これにより、例えば、ＰＥＴ装置で腫瘍を画像化しながら、Ｘ線画像で腫瘍周辺の骨や臓器の形状と針生検の針の位置関係を確認するなどして、針生検（バイオプシー）の精度を高めることが可能となる。さらに、ＰＥＴ装置とＸ線透過装置全体を回転することで、ＰＥＴ／ＣＴ複合装置を構成できる。
【００６９】
図２６（ａ）（斜視図）（ｂ）（断面図）に、ホルダ６６を用いて、検出器リング３０にＸ線源６０とＸ線検出器６２を固定した本発明の第９実施形態を示す。本実施形態によれば、第８実施形態のようなアームを省略でき、ＰＥＴ複合装置を安価に構成できる。
【００７０】
図２７に示すように、この全体を回転することで、同時視野のＰＥＴ／ＣＴ複合装置を構成できる。
【００７１】
なお、前記実施形態においては、本発明にかかるＰＥＴ装置が、放射線治療装置やＸ線透過装置と組み合わされていたが、ＰＥＴ装置と複合される装置は、これらに限定されない。又、ＰＥＴ装置単独で用いることも可能である。
【００７２】
又、ＰＥＴ検出器は、必ずしも検出器リングの周方向および軸方向に密に配置する必要はなく、ＰＥＴ検出器の間は、隙間を有してもよい。
【産業上の利用可能性】
【００７３】
放射線治療装置やＸ線透過装置と組合せるのに好適な傾斜ＰＥＴ装置及びＰＥＴ複合装置が得られる。
【符号の説明】
【００７４】
６…ベッド
８…患者（検査対象）
１０…ＰＥＴ検出器
２０Ｘ、２０Ｙ…照射ポート
２２Ｘ、２２Ｙ…治療ビーム
２４…照射野
３０…検出器リング
３２…単位リング
３６…バケット
６０…Ｘ線源
６２…Ｘ線検出器
６４…アーム
６６…ホルダ
【図１】
2012164664.tif 000003
【図２】
2012164664.tif 000004
【図３】
2012164664.tif 000005
【図４】
2012164664.tif 000006
【図５】
2012164664.tif 000007
【図６】
2012164664.tif 000008
【図７】
2012164664.tif 000009
【図８】
2012164664.tif 000010
【図９】
2012164664.tif 000011
【図１０】
2012164664.tif 000012
【図１１】
2012164664.tif 000013
【図１２】
2012164664.tif 000014
【図１３】
2012164664.tif 000015
【図１４】
2012164664.tif 000016
【図１５】
2012164664.tif 000017
【図１６】
2012164664.tif 000018
【図１７】
2012164664.tif 000019
【図１８】
2012164664.tif 000020
【図１９】
2012164664.tif 000021
【図２０】
2012164664.tif 000022
【図２１】
2012164664.tif 000023
【図２２】
2012164664.tif 000024
【図２３】
2012164664.tif 000025
【図２４】
2012164664.tif 000026
【図２５】
2012164664.tif 000027
【図２６】
2012164664.tif 000028
【図２７】
2012164664.tif 000029
【国際調査報告】
2012164664.tif 000030
2012164664.tif 000031
2012164664.tif 000032
2012164664.tif 000033